(57)【要約】【課題】本発明が解決しようとする課題は、アクセサリー機能と共に、遠赤外線による健康増進効果、治療、治癒機能を備えた、装身具用銀合金及びこれを用いた装身具を提供することにある。【解決手段】銀を主成分とし、ゲルマニウム及び銅を含む合金からなる、装身具用銀合金であって、銀の配分比率を、全体重量の少なくとも７０重量％〜９９．９重量％、好ましくは９５重量％とし、残部の配分比率をゲルマニウム及び銅で配分されることを特徴とする、装身具用銀合金。【選択図】図1
2007195808.tif 000002
【特許請求の範囲】
【請求項１】
銀を主成分とし、ゲルマニウム及び銅を含む合金からなる、装身具用銀合金であって、
銀の配分比率を、全体重量の少なくとも７０重量％〜９９．９重量％、好ましくは９５重量％とし、残部の配分比率をゲルマニウム及び銅で配分されることを特徴とする、装身具用銀合金。
【請求項２】
前記ゲルマニウムの配分比率が、全体重量の少なくとも０．０１重量％〜０．０８重量％好ましくは０．０５重量％であることを特徴とする、請求項１記載の装身具用銀合金。
【請求項３】
前記銅の配分比率が、全体重量の少なくとも０．１重量％〜３０重量％、好ましくは４．９５重量％であることを特徴とする、請求項１〜請求項２に記載の装身具用銀合金。
【請求項４】
前記ゲルマニウムの配分比率を０．０５重量％〜０．０８重量％とし、銅の配分比率を９．８９重量％〜９．９２重量％とし、残部の配分比率を銀で配分することを特徴とする、請求項１〜請求項３に記載の装身具用銀合金。
【請求項５】
前記ゲルマニウムの配分比率を０．０３重量％〜０．０６重量％とし、銅の配分比率を７．４４重量％〜７．４７重量％とし、残部の配分比率を銀で配分することを特徴とする、請求項１〜請求項４に記載の装身具用銀合金。
【請求項６】
前記ゲルマニウムの配分比率を０．０１重量％〜０．０３重量％とし、銅の配分比率を４．９７重量％〜４．９９重量％とし、残部の配分比率を銀で配分することを特徴とする、請求項１〜請求項５に記載の装身具用銀合金。
【請求項７】
前記ゲルマニウムは、銅及び銀と共に溶解することを特徴とする、請求項１ないし請求項６記載の装身具用銀合金。
【請求項８】
前記装身具が、人体の各部位に直接又は間接的に、常時又は一時的に装用する、請求項１〜請求項７に記載されてなる装身具用銀合金で製作された、イヤリング、ピアス、ネックレス、ネックチェーン、ブレスレット、アンクレット、ペンダント、ブローチ、メダル、指輪、ロケット、腕時計ケース、腕時計裏蓋、腕時計バンドコマ、腕時計バックル、眼鏡フレーム及びブリッジ、ネクタイピン、カフスボタン等の装身具及びつぼ押し兼用装身具。
【請求項９】
前記装身具及びつぼ押し兼用装身具の一部に９９．９９９％のゲルマニウムが装用されると共に、装身具及びつぼ押し兼用装身具の一部又は全体表面部が、硬質樹脂体で被覆されていることを特徴とする、請求項８記載の装身具。
【請求項１０】
前記硬質樹脂体が、エポキシ樹脂であることを特徴とする、請求項８〜請求項９に記載
の装身具。
【発明の詳細な説明】
【技術分野】
【０００１】
本発明は、銀を主な素材とし、銀白色の鮮やかな光沢を備えた、アクセサリー機能と、遠赤外線による健康増進効果、治療、治癒機能を備えた、装身具用銀合金及びこれを用いた装身具に関する。
【背景技術】
【０００２】
装身具の主な素材として、従来より、金又は銀が使用されているが、金は展延性が金属中最高で、その加工性は良好であり、貨幣、宝飾品、装身具等に利用される分野は、多岐に亘り、世界的に金の生産量が極めて少量であるために、近年に至っては、その地金及び加工品は、資産として扱われ、金の価格は高騰している。そのため、金を用いた宝飾品、装身具等の素材としては各種の金属、例えば銀、銅、亜鉛等を含有させて、金含有率の低い金合金が製造されている。一般に、金含有率が５８．３重量％の１４金、金含有率が５０重量％の１２金、金含有率が４１．７重量％の１０金、金含有率が３７．５重量％の９金及び８金以下の各合金が知られ、これらの各金合金は、含有される銀、銅、亜鉛その他の金属含有率によって、金色の色調等に差異が生じ、金含有率が低くなるほど耐食性が劣り、時間の経過とともに硫化と酸化が進み、色調が変化するという不具合がある。
【０００３】
一方、装身具の主な素材としての銀は、金と比較して低価格であり、金と同様に展延性に富み、電気及び熱伝導度が大で高温での耐酸化性に優れているので、種々の工業製品にも利用され、またその色は白色系であり、古来から銀貨や、銀細工と称される宝飾品、装身具等の主要な素材として使用されている。しかし純銀は強度が小さくて、靱性に乏しく加工材として使用した場合には経時的に軟化し、また空気中の硫黄分や亜硫酸ガス等によって硫化し黒ずんでくるという化学的性質があるので、装身具用の素材として、これらの欠点を除去するために、各種の金属を配合した多くの銀合金が種々提案されている。
【０００４】
例えば、特開昭６２−２０８５０の耐変色性銀合金には、美術工芸品や装身具等に使用される銀合金が開示されており、銀を基材としてゲルマニウムの他に亜鉛、カリウムあるいはボロン等を含んでいる。また銀を基材としてインジウムの他に、錫や亜鉛等を含んだものも開示されている。
【０００５】
また、特開昭６３−１４８３０の耐硫化性硬質銀合金は、腕時計や指輪、ペンダント、食器等に使用される銀合金が開示されており、銀を基材としてゲルマニウム、インジウムの他にプラチナ、錫、亜鉛等を含んでいる。
【０００６】
また、特開２０００−１９９０２０の装飾用銀合金は、銀と金との中間色としてピンク色の銀合金を得ることと、経時的な色変化の少ないものの提供を目的として、Ａｇ３５〜４５重量％、Ｐｄ２〜６重量％、Ａｕ０．５〜６重量％、残部が不可避成分及びＣｕであることを特徴としている。
【０００７】
さらに、特開２０００−８７１５７は、加工性、鋳造性に優れ、また優美な色調を呈し、耐食性に富み、その色調を変色させることなく、長期にわたり維持することができる装飾品用銀合金を提供することを目的として、Ａｇ：３０〜５５重量％と、Ｐｄ：２〜６重量％と、Ｂｅ−Ｃｕ：２０〜５０重量％と、Ｃｕ：１０〜４５重量％の組成であることを特徴としている。
【特許文献１】特開昭６２−２０８５０号公報
【特許文献２】特開昭６３−１４８３０号公報
【特許文献３】特開２０００−１９９０２０号公報
【特許文献４】特開２０００−８７１５７号公報
【発明の開示】
【発明が解決しようとする課題】
【０００８】
装飾用品特に装身具用銀合金に要求されるのは、第１に、美麗さと優れた審美性で、第２は耐食性、耐変色性が高度であること、第３に易加工性と強度の具備、第４に製造コストの低廉化であるが、近年は、第５の要求として、人体に無害であると共に、健康志向型の装身具用銀合金の出現が切望されている。
【０００９】
しかしながら、上記特許文献１の耐変色性銀合金は、その配合成分中に錫あるいは亜鉛が含有され、該銀合金を素材とする装身具を、常時又は一時的に装用すれば、人体の装用部位に錫あるいは亜鉛が接触することになり、例えば、金属アレルギー等を起こすこともあり、人体に無害であるとはいい難い。また特許文献１には、銀以外に錫、亜鉛及びボロン等が使用されているので、物質的に不安定であるという欠点がある。
【００１０】
特許文献２の耐硫化性硬質銀合金は、銀以外の配合成分中に錫、亜鉛等を含有し、特許文献１と同様に、人体に無害とはいえないし、かつプラチナが使用されているので、製造コストが高価となり市場性で劣ることになる。
【００１１】
特許文献３及び特許文献４は、装身具用銀合金等に要求される第１ないし第４の要求である、美麗さ、審美性、耐食性、耐変色性、易加工性、製造コスト等を少なくとも充たしてはいるが、両者共に、第５の要求である、健康志向型の装身具用銀合金とはいえない。
【００１２】
近年になり、ファッション業界紙等の調査によれば、装身具用の貴金属材料のなかで、比較的に安価である、白色系装身具の装用と健康増進志向とを満足させる製品の出現が、特に若年層、婦人層等に期待が高まってきている。
【００１３】
本発明者は、上記の状況に鑑みて鋭意研究を重ねた結果、銀に微量のゲルマニウムと銅を含有させることにより、装身具に求められる、美麗さ、審美性、耐食性、耐変色性、易加工性、低コスト及び健康増進等の要求を充足する、装身具用銀合金が得られることを知見した。
【００１４】
本発明は、このような知見に基づいてなされたものであり、本発明が解決しようとする課題は、アクセサリー機能と共に、遠赤外線による健康増進効果、治療、治癒機能を備えた、装身具用銀合金及びこれを用いた装身具を提供することにある。
【課題を解決するための手段】
【００１５】
本発明における、上記課題を解決するための第１の解決手段は、銀を主成分とし、ゲルマニウム及び銅を含む合金からなる、装身具用銀合金であって、銀の配分比率を、全体重量の少なくとも７０重量％〜９９．９重量％、好ましくは９５重量％とし、残部の配分比率をゲルマニウム及び銅で配分されることを特徴としている。
【００１６】
また、課題を解決するための第２手段は、第１の解決手段にあって、前記ゲルマニウムの配分比率が、全体重量の少なくとも０．０１重量％〜０．０８重量％好ましくは０．０５重量％であることを特徴としている。
【００１７】
また、課題を解決するための第３手段は、第１〜第２の解決手段にあって、前記銅の配分比率が、全体重量の少なくとも０．１重量％〜３０重量％、好ましくは４．９５重量％であることを特徴としている。
【００１８】
また、課題を解決するための第４の手段は、第１〜第３の解決手段にあって、前記ゲルマニウムの配分比率を０．０５重量％〜０．０８重量％とし、銅の配分比率を９．８９重量％〜９．９２重量％とし、残部の配分比率を銀で配分することを特徴としている。
【００１９】
また、課題を解決するための第５の手段は、第１〜第４の解決手段にあって、前記ゲルマニウムの配分比率を０．０３重量％〜０．０６重量％とし、銅の配分比率を７．４４重量％〜７．４７重量％とし、残部の配分比率を銀で配分することを特徴としている。
【００２０】
また、課題を解決するための第６の手段は、第１〜第５の解決手段にあって、前記ゲルマニウムの配分比率を０．０１重量％〜０．０３重量％とし、銅の配分比率を４．９７重量％〜４．９９重量％とし、残部の配分比率を銀で配分することを特徴としている。
【００２１】
また、課題を解決するための第７の手段は、第１〜第６の解決手段にあって、前記ゲルマニウムは、銅及び銀と共に溶解することを特徴としている。
【００２２】
また、課題を解決するための第８の手段は、前記装身具が、人体の各部位に直接又は間接的に、常時又は一時的に装用する、請求項１〜請求項７に記載されてなる装身具用銀合金で製作された、イヤリング、ピアス、ネックレス、ネックチェーン、ブレスレット、アンクレット、ペンダント、ブローチ、メダル、指輪、ロケット、腕時計ケース、腕時計裏蓋、腕時計バンドコマ、腕時計バックル、眼鏡フレーム及びブリッジ、ネクタイピン、カフスボタン等の装身具及びつぼ押し兼用装身具であることを特徴としている。
【００２３】
また、課題を解決するための第９の手段は、第８の解決手段にあって、前記装身具及びつぼ押し兼用装身具の一部に９９．９９９％のゲルマニウムが装用されると共に、装身具及びつぼ押し兼用装身具の一部又は全体表面部が、硬質樹脂体で被覆されていることを特徴としている。
【００２４】
また、課題を解決するための第１０の手段は、第８〜第９の解決手段にあって、前記硬質樹脂体が、エポキシ樹脂であることを特徴としている。
【００２５】
以下、本願特許請求の範囲、本願明細書において用いる用語の解釈上の疑義を解消するべく、用語の定義又は説明をすることとする。
＊＊＊＊＊＊＊＊＊＊＊＊＊＊＊＊＊＊＊＊＊＊＊＊＊＊＊＊＊＊＊＊＊＊＊＊＊＊＊＊
装身具とは、人体の各部位又は衣服等に直接又は間接的に、常時又は一時的に装用するアクセサリー及び人体のつぼ（経穴）又はその近傍に装用される粒状物をいう。
つぼ（経穴）とは、東洋医学上の用語で、人間の生命エネルギーの通り道といわれる、経路の上にある要点で、内蔵諸器官と密接に関連し、内蔵に異常が生じたとき、その場所に強い反応が現れるとされ、つぼ（経穴）は、頭部から足の先まで全身に存在し、例えば、頭頂部には、「百会」、へその真裏には生命力の要である「命門」、手の甲には「合谷」等全身に３６０以上（東洋医学上の公認分）、学者によっては約２０００のつぼ（経穴）が点在するといわれ、関連するつぼ（経穴）を押圧等の刺激を与えれば、不調部分が改善されると共に、治療、治癒効果をもたらすとされている。
ゲルマニウムとは、周期律表の３２番の元素で、無機ゲルマニウムと有機ゲルマニウムの２種類がある。無機ゲルマニウムは、アルジロダイト鉱石中に含有し、光や温度等で電気特性が変化する。有機ゲルマニウムは、朝鮮人参、麗芝等の植物に含有する。本願におけるゲルマニウムは、全て無機ゲルマニウムを意味する。
＊＊＊＊＊＊＊＊＊＊＊＊＊＊＊＊＊＊＊＊＊＊＊＊＊＊＊＊＊＊＊＊＊＊＊＊＊＊＊＊
【発明の効果】
【００２６】
本発明に係る、装身具用銀合金は、上記の構成になるから以下の効果を奏する。即ち、第１ないし第７の発明によれば、主素材が、銀からなるので、装飾用品ないし装身具用銀合金に要求される白色系の光沢ある、美麗さと優れた審美性を有し、またゲルマニウムと銅を含有するので耐食性、耐変色性が高度となり、かつ展延性、易加工性、強度及び靱性を具備すると共に、製造コストを廉価としたアクセサリー素材を提供することができる。さらに人体に有害な金属、例えば亜鉛、銀、カドミウム等を全く使用しないので安全であり、半導体元素で微弱な放射線（遠赤外線）を放射するゲルマニウムを使用するので、その遠赤外線による健康増進効果、治療、治癒機能を備えた、装身具用銀合金を提供することができる。
【００２７】
また第４の発明によれば、ゲルマニウムの配分比率を０．０５重量％〜０．０８重量％とし、銅の配分比率を９．８９重量％〜９．９２重量％とし、残部の配分比率を銀で配分するので、コインシルバー（銀含有率９０重量％）に近似する輝きと光沢を有し、易加工性等を備えた装身具用銀合金が得られると共に、この銀合金で製作された装身具を装用すれば、ゲルマニウムの遠赤外線による健康増進効果が発揮される。
【００２８】
また第５の発明によれば、ゲルマニウムの配分比率を０．０３重量％〜０．０６重量％とし、銅の配分比率を７．４４重量％〜７．４７重量％とし、残部の配分比率を銀で配分するので、スターリングシルバー（銀含有率９２．５重量％）に近似する、白色系の光沢ある美麗で、易加工性等を備えた装身具用銀合金が得られると共に、この銀合金で製作された装身具を装用すれば、ゲルマニウムの遠赤外線による健康増進効果が発揮される。
【００２９】
また第６の発明によれば、ゲルマニウムの配分比率を０．０１重量％〜０．０３重量％とし、銅の配分比率を４．９７重量％〜４．９９重量％とし、残部の配分比率を銀で配分するので、ブリタニアシルバー（銀含有率９５．８４重量％）に近似する、さらに鮮やかな白色系の光沢ある美麗で、易加工性等を備えた装身具用銀合金が得られると共に、この銀合金で製作された装身具を装用すれば、ゲルマニウムの遠赤外線による健康増進効果が発揮される。
【００３０】
また第８の発明によれば、第１〜第７の発明になる装身具用銀合金で製作された、例えばイヤリング、ピアス、ネックレス、ネックチェーン、ブレスレット、アンクレット、ペンダント、ブローチ、メダル、指輪、ロケット、腕時計ケース、腕時計裏蓋、腕時計バンドコマ、腕時計バックル、眼鏡フレーム及びブリッジ、ネクタイピン、カフスボタン等の装身具及びつぼ押し兼用装身具を、人体の各部位に直接又は間接的に、常時又は一時的に装用すれば、ゲルマニウムの特性である３２℃以上の体温に接触すると、マイナスイオンである遠赤外線が放射され、その電子浸透圧の働きにより、該遠赤外線は皮下組織の毛細血管まで達し、そのゲルマニウムイオンは、血管に浸透し、血管壁に付着したコレストール等を分解、除去する。そのため血行が促進され、細胞が活性化し、バランスを崩した筋肉細胞は素早く正常に整えられ、自然治癒力を高め、老化防止に役立つ等々の効果が発揮される。
【００３１】
また第９及び第１０の発明によれば、装身具及びつぼ押し兼用装身具の一部に９９．９９９％のゲルマニウムが装着されると共に、装身具及びつぼ押し兼用装身具の一部又は全体表面部が、硬質樹脂体で被覆されているので、アクセサリー機能と興趣をさらに高めると共に、ゲルマニウムが有する、遠赤外線効果に基づく、健康増進あるいは治療・治癒効果、例えば、具体的には内蔵の諸器官をコントロールしている自律神経の働きが整調され、血流やホルモンの分泌がスムーズになり、これによって現代人の多くが悩んでいる、ストレスや頭痛、肩こり、痛み、心身の不快感等の不定愁訴を和らげると共に、ダイエット効果をもたらす。
【発明を実施するための最良の形態】
【００３２】
本発明に係る装身具用銀合金は、銀を主成分とし、ゲルマニウム及び銅の３金属からなる、装身具用銀合金であって、銀の配分比を、全体重量の少なくとも７０重量％〜９９．９重量％、好ましくは９５重量％とし、残部の配分比をゲルマニウム及び銅で配分される。
【実施例１】
【００３３】
公知技術による銀合金製造法、例えば溶融窯に下記の各金属を所定の配合比率即ち、
銀：９５重量％
ゲルマニウム：０．０５重量％
銅：４．９５重量％
を投入、混練した後、徐々に加熱していき、融点が最も高いゲルマニウム及び銀の融解温度である、約９００℃〜９５０℃で加熱溶解し、この溶解液を鋳型に注湯して冷却することにより、銀を主成分とした、ゲルマニウム及び銅からなる、装身具用銀合金が得られた。
乾燥後の銀合金の表面部を研磨すると鮮やかな白色系の美麗な光沢を発した。
【実施例２】
【００３４】
公知技術による銀合金製造法、例えば溶融窯に下記の各金属を所定の配合比率即ち、
銀：９０重量％
ゲルマニウム：０．０８重量％
銅：９．９２重量％
を投入、混練した後、徐々に加熱していき、融点が最も高いゲルマニウム及び銀の融解温度である、約９００℃〜９５０℃で加熱溶解し、この溶解液を鋳型に注湯して冷却することにより、銀を主成分とした、ゲルマニウム及び銅からなる、装身具用銀合金が得られた。乾燥後の銀合金の色合いは、光沢のある白色系で、加工性も良好であった。
【実施例３】
【００３５】
公知技術による銀合金製造法、例えば溶融窯に下記の各金属を所定の配合比率即ち、
銀：９２．４７重量％
ゲルマニウム：０．０６重量％
銅：７．４７重量％
を投入、混練した後、徐々に加熱していき、融点が最も高いゲルマニウム及び銀の融解温度である、約９００℃〜９５０℃で加熱溶解し、この溶解液を鋳型に注湯して冷却することにより、銀を主成分とした、ゲルマニウム及び銀からなる、装身具用銀合金が得られた。乾燥後の銀合金の色合いは、スターリングシルバーに近似する、白色系の光沢ある美麗で、易加工性等を備えた装身具用銀合金が得られた。
【実施例４】
【００３６】
公知技術による銀合金製造法、例えば溶融窯に下記の各金属を所定の配合比率即ち、
銀：７０重量％
ゲルマニウム：０．０８重量％
銅：２９．９２重量％
を投入、混練した後、徐々に加熱していき、融点が最も高いゲルマニウム及び銀の融解温度である、約９００℃〜９５０℃で加熱溶解し、この溶解液を鋳型に注湯して冷却することにより、銀を主成分とした、ゲルマニウム含有の装身具用銀合金が得られた。乾燥後の銀合金の色合いは、やや青みがかった白色系で、加工性も良好であった。
【００３７】
上述した、実施例１〜実施例４によって製造された装身具用銀合金は、インゴットの他、
箔、板、線、棒、パイプ等の各種形態とされ、製作される装身具によって最適の素材が選択される。
【００３８】
図１以下は、本発明に係る、装身具用銀合金を用いた装身具の一例である、ブレスレットの一部省略正面図、図２は、図１におけるＡ部拡大正面図、図３は、図２に示す装飾珠の一部切欠断面図、図４は、図２に示す装飾珠の一部切欠断面図、図５は、装身具を兼ねた、つぼ（経穴）押具の断面図である。
【００３９】
図１は、本発明に係る、装身具用銀合金（以下、銀合金Ｓという）を基材として製作された装飾珠を、複数個連結してなるブレスレットＢを例示するもので、該ブレスレットＢは、表面模様が異なる、直径約７ｍｍ〜８ｍｍとした複数の略球体状の装飾珠１、２、３、４、…及び興趣ある特殊装飾体、例えば表面に縞模様が浮き出ている、長径約１５ｍｍ〜１６ｍｍとしたラグビーボール状の瑪瑙（メノウ）Ｍと、上記の装飾珠１、２、３、４、…及び瑪瑙を数珠状に一体化する紐体１００からなっている。また瑪瑙（メノウ）Ｍに替えて、購買意欲と興趣を高めるために、真珠、オパール、トパーズ、ガーネット、アメジスト、アクアマリン、翡翠、ルビー、サファイア、トルコ石又はダイヤモンド等の誕生石が連結される。また装飾珠１、２、３、４、…の数を増減し、例示したブレスレットＢの他、ネックレス又はアンクレット等とすることも可能である。なおＣは、マグネット付きの着脱具である。
【００４０】
装飾珠１、２、３、４、…は、従来の公知技術、例えばダイキャスト法等によって製造することができる。すなわち、装飾珠１、２、３、４、…の基材となる銀合金Ｓを溶解し、これに高圧を付加して鋳型に注入して略球体状に成形し、冷却させた後、該球体の略全表面と予め凹設された溝部にエポキシ樹脂液を塗布、充填して被覆層を形成してなるもので、図１及び図２に示すように、装飾珠１、２、３、４…のそれぞれ球体表面部には、異なった蛇行状曲線１ａ、１ｂ、２ａ、円形模様３ａ又は蛇行状曲線４ａとゲルマニウム（白色体）Ｇが鮮やかに現出される。
【００４１】
図２及び図３に示すように、装飾珠１の周面には２本の蛇行状曲線１ａと１ｂが突設され、両側端には連結部１ｃ、１ｄと、紐体１００を挿通する、貫通孔１ｈが形成されている。５は、エポキシ樹脂で、装飾珠１の周面の蛇行状曲線１ａと１ｂ間に形成された溝部５ａ及び連結部１ｃ、１ｄのそれぞれに形成された溝部５ｂと、蛇行状曲線１ａと１ｂを含む装飾珠１の全周面が、エポキシ樹脂５により被覆される。同様に装飾珠２、３、４もその全周面をエポキシ樹脂５により被覆される。なお、エポキシ樹脂５による被覆作業は、各貫通孔１ｈ〜４ｈを、密封栓等により閉塞して行われる。
【００４２】
エポキシ樹脂は、装身具として使用したとき、汗等によってほとんど影響を受けないこ
とや、強度、耐久性等においても他の樹脂塗料に比較して良好な特性を発揮するので、装身具として好適である。また硬質塗膜を形成するエポキシ樹脂系塗料の１例としては、顔料ないし可溶性染料を混入した着色用ペースト（アラルダイト：登録商標−日本チバガイギー社）等が挙げられる。また上記顔料ないし可溶性染料を選択することにより、黒、赤、青、緑、黄その他の色彩とすることができ、銀合金Ｓの白色が鮮やかに映え、興趣のある装身具とすることができる。
【００４３】
エポキシ樹脂５による被覆作業が終了し、乾燥工程を経た後、各装飾珠１、２、３、４、…は、研磨機による研磨作業が行われ、図２〜図４に示すように仕上げられる。図４は、研磨作業を終了した装飾珠４を示し、銀合金Ｓの周面には１本の蛇行状曲線４ａが現出し、銀合金Ｓの頂部に形成された凹部４ｂには、ゲルマニウム９９．９９９％の白色体Ｇが接着剤（不図示）を介して装着されている。また装飾珠２及び装飾珠３も研磨作業を経た後には、図２に示すように、光沢を有する銀白色系の１本の蛇行状曲線２ａや円形模様３ａが現出する。
【００４４】
図５は、銀合金Ｓを粒子状とした、つぼ（経穴）押具６を示すもので、直径約１ｍｍ〜１．５ｍｍの球状銀合金Ｓの頂部Ｓａを水平状に裁断し、貼付用シート７の接着剤塗布面７ａを銀合金Ｓの頂部Ｓａに装用してなり、銀合金Ｓの底面部Ｓｂないし側面部Ｓｃを、身体の頭部から足先まで多数に散在する各部位のつぼ（経穴）に、圧着しながら貼付用シート７を介して固定して使用する。
【図面の簡単な説明】
【００４５】
【図１】は、本発明に係る、装身具用銀合金を用いた装身具の一例である、ブレスレットの一部省略正面図である。
【図２】は、図１におけるＡ部拡大正面図である。
【図３】は、図２に示す装飾珠の一部切欠断面図である。
【図４】は、図２に示す装飾珠の一部切欠断面図である。
【図５】は、つぼ（経穴）押具の断面図である。
【符号の説明】
【００４６】
Ｓ                      銀合金
Ｂ                      ブレスレット
Ｍ                      瑪瑙
Ｃ                      着脱具
Ｇ                      ゲルマニウム（白色体）
１、２、３、４、…      装飾珠
１ａ、１ｂ、２ａ、４ａ  蛇行状曲線
３ａ                    円形模様
４ｂ                    凹部
５                      エポキシ樹脂
５ａ、５ｂ              溝部
６                      つぼ（経穴）押具
【図１】
2007195808.tif 000003
【図２】
2007195808.tif 000004
【図３】
2007195808.tif 000005
【図４】
2007195808.tif 000006
【図５】
2007195808.tif 000007